(57)【要約】【課題】試験対象の無線端末（移動機１１）の試験パラメータを自動選択する。【解決手段】試験手順記憶手段４１に無線端末（移動機）の各動作に対する試験の試験手順を記憶し、試験パラメータ記憶手段４３に無線端末（移動機）の機種毎に該当機種の試験を実行するための試験パラメータを記憶し、さらに、通信手順記憶手段４２に無線端末（移動機）の機種毎に該当機種の通信手順を記憶している。  そして、電波シールドボックス１０内に、試験対象の移動機１１を収納し、移動機の外部インタフェース端子１５に制御信号線を接続して、移動機の電源を投入すると、この移動機の機種を含む無線端末（移動機）情報を無線端末試験装置が取得され、この取得した無線端末（移動機）情報の機種に対応する試験パラメータ及び通信手順を選択し、この選択した試験パラメータ及び通信手順を用いて試験が実施される。【選択図】      図１
2005109992.tif 000002
【特許請求の範囲】
【請求項１】
アンテナ、各種操作指令を入力するための操作パネル、及び外部インタフェース端子（１５）が設けられた試験対象の無線端末（１１）を収納するための電波シールドボックス（１０）と、
この電波シールドボックス内に取付けられた試験用アンテナを介して前記無線端末と無線で各種信号の送受信を行うための無線送受信手段（２０、２１）と、
前記外部インタフェース端子を介して前記無線端末と有線で各種情報の送受信を行うための通信インタフェース手段（２９）と、
前記無線端末の各動作に対する試験の試験手順を記憶する試験手順記憶手段（４１）と、
前記無線端末の機種毎に該当機種の試験を実行するための試験パラメータを記憶する試験パラメータ記憶手段（４３）と、
前記無線端末の機種毎に該当機種の通信手順を記憶する通信手順記憶手段（４２）と、
前記無線端末の電源投入に応動して、前記通信インタフェース手段を用いて、前記無線端末の機種を含む無線端末情報を取得する無線端末情報取得手段（Ｓ３、Ｐ４）と、
この取得された無線端末情報の機種の試験パラメータ、試験手順及び通信手順を試験パラメータ記憶手段、試験手順記憶手段及び通信手順記憶手段から読出す読出手段（Ｓ４、Ｐ５）と、
この読出された試験パラメータ、通信手順及び試験手順に従って、前記無線送受信手段及び前記通信インタフェース手段を介して前記無線端末に対する試験を実行する試験実行手段（Ｓ５、Ｓ６、Ｐ６、Ｐ７）と
を備えた無線端末試験装置。
【請求項２】
各種の無線端末用の試験パラメータ、試験手順及び通信手順を記憶するメモリ（１００）と、
特性を試験すべき無線端末からのＲＦ信号を伝達するＲＦ結合手段（１０１）と、
前記ＲＦ結合手段からのＲＦ信号を受け、当該無線端末に対応する試験パラメータ及び試験手順に基づいて当該無線端末の特性を試験する試験手段（１０２）と、
を備えた無線端末試験装置において、
当該無線端末に記憶されている機種情報及び製造番号情報を当該無線端末の外部インタフェースから抽出する有線結合手段（１０３）と、
前記有線結合手段からの抽出した情報に対応する試験パラメータ、試験手順及び通信手順を前記メモリから読み出す読出手段（１０４）とを有し、
前記試験手段が前記ＲＦ結合手段からのＲＦ信号と前記読出手段からの試験パラメータ、試験手順、及び通信手順とによって当該無線端末の特性を試験することを特徴とする無線端末試験装置。
【請求項３】
前記無線端末情報は、前記無線端末の機種及び該当無線端末を特定する識別情報を含み、
前記試験実行手段における試験結果を前記機種及び識別情報と共に出力する試験結果出力手段（３３、Ｓ７、Ｐ８）を備えた
ことを特徴とする請求項１又は２記載の無線端末試験装置。
【発明の詳細な説明】
【技術分野】
【０００１】
本発明は例えば携帯電話等の無線端末（以下「移動機」と称する）の動作が正常か否かを簡単に試験できる無線端末試験装置に関する。
【背景技術】
【０００２】
近年、携帯電話の普及に伴って、電話会社はこの携帯電話の各加入者に対するアフターサービスの充実が要求されている。
【０００３】
携帯電話の各加入者に対するアフターサービスの一環として、電話会社の営業所のサービス窓口に、携帯電話等の移動機の動作が正常か否かを簡単に試験できる無線端末試験装置を設置することが、例えば、特許文献１に提唱されている。
【０００４】
従来の無線端末試験装置においては、図７に示すように、電波シールドボックス１内に、試験対象の移動機２を収納し、さらに、この電波シールドボックス１内に試験用アンテナ３を設けている。また、無線端末試験装置内には、試験手順メモリ４、試験パラメータメモリ５、及び試験実行部６が設けられている。
【０００５】
試験手順メモリ４内には、この無線端末試験装置で試験対象の移動機２に対して実行する各試験の実際の試験手順が記憶されている。具体的には、各試験において試験実行部６と試験対象の移動機２との間で実行すべき信号の送受信のシーケンス、送受信された信号の評価方法等が記憶されている。
【０００６】
試験パラメータメモリ５内には、この試験の実行過程で使用する各試験対象の移動機２毎の試験パラメータが記憶されている。具体的には、例えば、移動機１に対する送受信レベルの試験を実施する場合においては、移動機２の機種毎に、アンテナの位置及び形状、インピーダンス特性等に起因して、ＲＦ（高周波）信号の結合度が異なるために、測定する移動機２の機種毎に測定された送受信レベルの値を補正する必要がある。この補正のための移動機２の機種毎の補正値が各試験パラメータとして試験パラメータメモリ５内に予め記憶されている。
【０００７】
試験実行部６は、試験手順メモリ４内に記憶された各試験手順に従って、試験パラメータメモリ５内に記憶された試験パラメータを用いて、試験用アンテナ３を介して移動機２との間で無線により各種情報の送受信を実行し、移動機２の外部インタフェース端子７を介して各種操作指令を印加している。このように、試験実行部６は、無線及び有線で移動機２を動作させて該当移動機２における動作状態の良否を判定している。
【特許文献１】特開平７―２５００１６号公報
【発明の開示】
【発明が解決しようとする課題】
【０００８】
しかしながら、図７に示す無線端末試験装置においても、まだ改良すべき次のような課題があった。
【０００９】
すなわち、この無線端末試験装置の操作者は、客が持ち込んだ試験対象の移動機の機種を目視で読取って、この無線端末試験装置に設けられたキーボードから操作入力する必要があった。近年、移動機の機種は非常に多く、また、頻繁に新しい機種の移動機が発売される。したがって、操作者にとって、試験対象の移動機の機種を無線端末試験装置に操作入力する作業が非常に煩雑であり、移動機に対する試験作業能率が低下する懸念がある。さらに、操作者が誤った機種を操作入力する懸念もある。
【００１０】
また、操作者は、試験終了後に、試験対象の移動機の機種（型番）及び製造番号をメモして、試験結果と共に保存しておき、後で、試験結果と機種（型番）及び製造番号とが対比できるようにする必要がある。この移動機の機種（型番）及び製造番号を読取って、印字出力された試験結果の用紙に記入する作業が繁雑である。
【００１１】
本発明はこのような事情に鑑みてなされたものであり、試験対象の移動機の試験パラメータが自動的に選択設定され、操作者が試験対象の移動機の機種を読取って操作入力を実施する必要なく、試験作業能率を大幅に向上できる無線端末試験装置を提供することを目的とする。
【課題を解決するための手段】
【００１２】
上記課題を解消するために、本発明の無線端末試験装置は、アンテナ、各種操作指令を入力するための操作パネル、及び外部インタフェース端子が設けられた試験対象の無線端末（１１）を収納するための電波シールドボックスと、この電波シールドボックス内に取付けられた試験用アンテナを介して無線端末と無線で各種信号の送受信を行うための無線送受信手段と、外部インタフェース端子を介して無線端末と有線で各種情報の送受信を行うための通信インタフェース手段と、無線端末の各動作に対する試験の試験手順を記憶する試験手順記憶手段と、無線端末の機種毎に該当機種の試験を実行するための試験パラメータを記憶する試験パラメータ記憶手段と、無線端末の機種毎に該当機種の通信手順を記憶する通信手順記憶手段と、無線端末の電源投入に応動して、通信インタフェース手段を用いて、無線端末の機種を含む無線端末情報を取得する無線端末情報取得手段と、この取得された無線端末情報の機種の試験パラメータ、試験手順及び通信手順を試験パラメータ記憶手段、試験手順記憶手段及び通信手順記憶手段から読出す読出手段と、この読出された試験パラメータ、通信手順及び試験手順に従って、無線送受信手段及び通信インタフェース手段を介して無線端末に対する試験を実行する試験実行手段とを備えている。
【００１３】
このように構成された無線端末試験装置においては、試験手順記憶手段に無線端末としての移動機の各動作に対する試験の試験手順が記憶され、試験パラメータ記憶手段に移動機の機種毎に該当機種の試験を実行するための試験パラメータが記憶され、さらに、通信手順記憶手段に移動機の機種毎に該当機種の通信手順が記憶されている。
【００１４】
そして、電波シールドボックス内に、試験対象の移動機を収納し、移動機の外部インタフェース端子に制御信号線を接続して、移動機の電源を投入すると、この移動機の機種を含む移動機情報が取得され、この取得された移動機情報の機種に対応する試験パラメータ、試験手順及び通信手順が選択されて、試験が実施される。
【００１５】
したがって、操作者は、試験対象の移動機の機種（型番）を目視で読取って、操作入力する必要はないので、操作者の作業負担を大幅に軽減でき、試験作業能率を大幅に向上できる。
【００１６】
また、別の発明は、各種の無線端末用の試験パラメータ、試験手順及び通信手順を記憶するメモリと、特性を試験すべき無線端末からのＲＦ信号を伝達するＲＦ結合手段と、ＲＦ結合手段からのＲＦ信号を受け、当該無線端末に対応する試験パラメータ及び試験手順に基づいて当該無線端末の特性を試験する試験手段とを備えた無線端末試験装置において、当該無線端末に記憶されている機種情報及び製造番号情報を当該無線端末の外部インタフェースから抽出する有線結合手段と、有線結合手段からの抽出した情報に対応する試験パラメータ、試験手順及び通信手順を前記メモリから読み出す読出手段とを備えている。
【００１７】
このように構成された無線端末試験装置においては、試験手段が前記ＲＦ結合手段からのＲＦ信号と読出手段からの試験パラメータ、試験手順、及び通信手順とによって当該無線端末の特性を試験する。
【００１８】
また、別の発明は、上述した発明の無線端末試験装置において、無線端末情報は、無線端末の機種及び該当無線端末を特定する識別情報を含む。さらに、記試験実行手段における試験結果を前記機種及び識別情報と共に出力する試験結果出力手段を備えている。
【００１９】
このように構成された無線端末試験装置においては、試験結果に機種及び例えば製造番号等の識別情報が付され出力されるので、試験対象の無線端末の製造番号等の識別情報を目視で読取って試験結果の用紙に記入する必要がない。
【発明の効果】
【００２０】
本発明の無線端末試験装置によれば、電波シールドボックス内に収納した試験対象の無線端末の外部インタフェース端子から機種を含む無線端末情報が自動的に取得される。そして、該当無線端末の試験パラメータ、試験手順及び通信手順が自動的に選択設定され、この選択された試験パラメータ、試験手順及び通信手順を用いて試験が自動実施される。したがって、操作者が試験対象の無線端末の機種を読取って操作入力を実施する必要なく、操作の試験作業能率を大幅に向上できる。
【発明を実施するための最良の形態】
【００２１】
以下、本発明の実施形態を図面を用いて説明する。  
（第１実施形態）
図１は本発明の第１実施形態に係わる無線端末試験装置の概略構成を示すブロック図である。
【００２２】
電波シールドボックス１０内に、試験対象の携帯電話からなる無線端末としての移動機１１が収納される。この移動機１１には、アンテナ１２、表示器１３、操作パネル１４、外部インタフェース端子としてのＵＳＢ端子１５、ＲＦ端子１６が設けられている。
【００２３】
なお、ＵＳＢ端子１５は、各機器相互間でＵＳＢ（universal serial bus）規格に基づいて各種情報の送受信を行うための端子である。このＵＳＢ規格に基づいて各機器相互間で通信すべき情報として、機器が移動機１１の場合、移動機１１の機種（型番）、識別番号としての製造番号等が規定されている。
【００２４】
また、電波シールドボックス１０内には試験用アンテナ１７が設けられている。この試験用アンテナ１７は切換スイッチ１８の一端を介して無線端末試験装置側の無線送受信部としての送信部２０及び受信部２１に接続されている。
【００２５】
切換スイッチ１８の他端は通信インタフェース１９を介して移動機１１のＲＦ端子１６に接続される。通常、試験対象の移動機１１に対する試験はアンテナ１７、１２を介して電波で実施するが、アンテナ１７、１２を介さずにＲＦ端子１６へ電波に代わるＲＦ信号を用いて実施することも可能である。アンテナ１７、１２を介さずにＲＦ端子１６へ電波に代わるＲＦ信号を用いて試験を実施する場合に、切換スイッチ１８を通信インタフェース１９側に投入する。
【００２６】
無線端末試験装置は試験対象の移動機１１に対する擬似基地局の機能を有する一種のコンピュータで構成されている。  
内部バス２２上に出力された移動機１１に送信すべきデジタル情報は符号部２３でデジタル信号に符号化されて、変調部２４によって例えばＣＤＭＡ変調され、送信部２０で必要なＲＦ信号となり、切換スイッチ１８及び試験用アンテナ１７を介して電波シールドボックス１０内に電波放射される。ＲＦ信号からなる送信信号の送信レベルは内部バス２２からの指示にてレベル設定器２５で設定される。
【００２７】
また、移動機１１のアンテナ２１から電波放射された電波は、試験用アンテナ１７を介して受信部２１で受信されて、復調部２６でデジタル信号に復調されて、復号部２７で元のデジタル情報に復号されて、最終的に内部バス２２へ出力される。受信部２１で受信された受信信号の受信レベルはレベル検出部２８で検出されて内部バス２２へ出力される。
【００２８】
また、無線端末試験装置の内部バス２２に対して、ＵＳＢ端子１５を介して移動機１１との間で各種情報交換を実施するための通信インタフェース２９、ＣＰＵ３０、ＲＯＭ３１、主記憶部３２、プリンタ３３に接続されたプリンタ駆動回路３４、ＬＡＮ３７を介して制御用コンピュータ３６に接続される通信インタフェース３５、操作パネル３８及び表示パネル３９に接続された入出力回路４０が接続されている。  
なお、制御用コンピュータ３６は、この無線端末試験装置をＬＡＮ３７を介して遠隔操作するときに用いられる。
【００２９】
例えばＲＡＭやＨＤ等で構成され主記憶部３２内には、試験手順メモリ４１、通信手順メモリ４２、試験パラメータメモリ４３、試験結果メモリ４４、移動機情報メモリ４５が形成されている。
【００３０】
試験手順メモリ４１内には、例えば、図２に示すように、この無線端末試験装置が移動機１１に対して実施する各試験の試験手順が記憶されている。例えば、プロトコル試験における「発呼」試験においては、通信インタフェース２９及びＵＳＢ端子１５を介して移動機１１へ操作パネル１４の操作指令を送出し、移動機１１に「発呼」動作を実行させる。そして、受信部２１で移動機１１の「発呼」の電波を受信して、移動機１１が正しく「発呼」動作したかを評価する。また、「着呼」試験においては、送信部２０を介して移動機１１へ「着呼」信号の電波を送信して、この移動機１１が「着呼」信号の電波を受信して、正しく「着呼」したことをＵＳＢ端子１５及び通信インタフェース２９を介して評価する。
【００３１】
また、性能試験における最大送信電力（パワー）試験においては、受信部２１で受信した移動機１１からの受信信号の受信信号レベルをレベル検出部２８で検出して、この受信信号レベルらか移動機１１の送信信号レベル（最大送信電力）を評価する。
【００３２】
通信手順メモリ４２には、この無線端末試験装置で試験を実施可能な移動機１１の機種毎の通信手順（無線プロトコル、シナリオと呼ぶ場合もある）が記憶されている。すなわち、各移動機１１を前述した各試験手順に従って試験を実行していく場合に、各移動機１１の電話会社が採用している周波数領域の相違、細かい試験手順の相違、コマンドの相違、付加機能の相違、制御チャネルや通信チャネル情報の相違、測定結果の判定基準の相違等の前述した各試験手順に定められていない個々の機種毎の詳細情報が記憶されている。
【００３３】
試験パラメータメモリ４３内には、移動機１１の機種毎に該当機種の試験を実行するための試験パラメータが記憶されている。前述したように、移動機１１に対する送受信レベルの試験を実施する場合においては、移動機１１の機種毎に、アンテナの位置及び形状、インピーダンス特性等に起因して、ＲＦ（高周波）信号の結合度が異なるために、測定する移動機２の機種毎に測定された送受信レベルの値を補正する必要がある。この補正のための移動機１１の機種毎の補正値が各試験パラメータとしてこの試験パラメータメモリ４３に記憶されている。
【００３４】
なお、この試験パラメータメモリ４３内には、必要に応じて、アンテナにおけるＲＦ（高周波）信号の結合度の試験パラメータの他に、各移動機１１の機種の仕様差に起因する他の種類の試験パラメータも記憶されている。
【００３５】
試験結果メモリ４４内には、この無線端末試験装置で実施した移動機１１に対する各試験の試験結果が一時記憶保持される。さらに、移動機情報メモリ４５内には、この無線端末試験装置で移動機１１に対する試験の実施開始に先だって、通信インタフェース２９及びＵＳＢ端子１５を介して移動機１１から受信した機種（型番）、製造番号、電話番号等からなる移動機情報が一時記憶保持される。
【００３６】
ＲＯＭ３１内には、移動機１１の移動機情報を取得して、主記憶部３２に記憶された各種の情報に従って試験の実行管理を行う制御プログラムが記憶されている。
【００３７】
図３は、プリンタ３３で用紙４６に印字出力された試験結果を示す図である。この用紙４６には、試験実施日時、機種名（型番）４７、製造番号４８、電話番号４９、各試験項目５０、各試験項目５０に対する判定結果５１、移動機１１全体としての綜合判定結果５２が印字される。
【００３８】
図４は、この無線端末試験装置（テスタ）を使用した移動機１１に対する試験の流れを示す図である。ステップＳ１にて、操作者は、試験対象の移動機１１のＵＳＢ端子１５に通信インタフェース２９の制御ケーブルを接続して、この移動機１１を電波シールドボックス１０に収納する。次に、移動機１１の電源を投入して、電波シールドボックス１０を閉じる（Ｓ２）。以上で、操作者による移動機１１の準備作業を終了する。
【００３９】
以下、ステップＳ３からステップＳ７までは、この無線端末試験装置（テスタ）のＣＰＵ３０が行う処理を示す流れ図である。ステップＳ３にて、移動機１１が起動すると、通信インタフェース２９及びＵＳＢ端子１５を介して移動機１１から機種名（型番）、製造番号、電話番号等からなる移動機情報を取得して移動機情報メモリ４５に書込む。次に、無線端末試験装置（テスタ）内において、この取得された移動機情報の機種（型番）に対応する試験（テスト）パラメータを試験パラメータメモリ４３から読出すとともに、この取得された移動機情報の機種（型番）に対応する通信手順（シナリオ）を通信手順メモリ４２から読出す（Ｓ４）。
【００４０】
次に、この選択（読出）した試験（テスト）パラメータ、通信手順（シナリオ）を用いて最初に、「位置登録」の試験を実施する。そして、試験結果を試験結果メモリ４４へ書込む（Ｓ５）。「位置登録」の試験が終了すると、先に選択した試験（テスト）パラメータ、通信手順（シナリオ）を用いて、該当機種（型番）の移動機１１に対する試験手順メモリ４１の各試験項目の試験を試験手順メモリ４１に記憶された試験手順に従って実行する（Ｓ６）。具体的には、プロトコル試験として、前述した発呼試験、着呼試験を実施する。また、性能試験として、移動機送信電力（パワー）測定、受信感度測定、変調精度、周波数精度測定等を実施する。
【００４１】
この場合、移動機送信電力（パワー）測定、受信感度測定等の送信レベル測定や受信レベル測定が必要な試験項目においては、先に選択した該当機種（型番）の試験（テスト）パラメータにおけるアンテナの結合度に依存する補正値で、測定された送信レベル測定や受信レベルを補正する。  
各項目の試験（テスト）結果を試験結果メモリ４４へ書込む。
【００４２】
電波シールドボックス１０に収納された１台の移動機１１に対する一連の試験が終了すると、移動機情報メモリ４５に記憶された移動機情報の機種名（型番）４７、製造番号４８、電話番号４９等の移動機情報と、試験結果メモリ４４に記憶された各試験項目５０と各試験項目５０に対する判定結果５１、移動機１１全体としての綜合判定結果５２を読み出して、プリンタ駆動回路３４を介してプリンタ３３で、図３に示すように、用紙４６に印字出力させる（Ｓ７）。さらに、移動機１１全体としての綜合判定結果５２を表示ランプ３９に点灯表示する。
【００４３】
図５は、この無線端末試験装置（テスタ）と移動機１１との間の各種信号、各種情報の授受を示すシーケンス図である。  
ステップＰ１にて、操作者は、試験対象の移動機１１のＵＳＢ端子１５に通信インタフェース２９の制御ケーブルを接続して、移動機１１を電波シールドボックス１０に収納し、移動機１１の電源を投入して、電波シールドボックス１０を閉じると移動機１１の準備作業（セットアップ）を終了する。
【００４４】
移動機１１は、ＵＳＢ規格に準拠して、ＵＳＢ端子１５から無線端末試験装置（テスタ）の通信インタフェース２９２へ自己（移動機１１）が電源投入（ＯＮ）されたことを通知する（Ｐ２）。無線端末試験装置（テスタ）は、移動機１１の電源投入を受信すると、通信インタフェース２９を介して移動機１１のＵＳＢ端子１５へ移動機１１の機種名（型番）、製造番号からなる移動機情報の送信要求を送信する（Ｐ３）。無線端末試験装置（テスタ）から移動機情報の送信要求を受信した移動機１１は、自己の移動機情報をＵＳＢ端子１５から無線端末試験装置（テスタ）の通信インタフェース２９へ送信する。
【００４５】
無線端末試験装置（テスタ）は、移動機１１から移動機情報を受信すると、この受信した移動機情報の機種（型番）に対応する試験（テスト）パラメータを試験パラメータメモリ４３から読出すとともに、取得された移動機情報の機種（型番）に対応する通信手順（シナリオ）を通信手順メモリ４２から読出す（Ｐ５）。
【００４６】
次に、無線端末試験装置（テスタ）と移動機１１との間において、この選択（読出）した通信手順（シナリオ）を用いて、最初に、「位置登録」の試験を実施する。この「位置登録」の試験で送受信される試験用の信号（情報）は、移動機１１のアンテナ１２と試験用アンテナ１７との間で該当機種（型番）の無線プロトコル（通信手順（シナリオ））を用いて実施される（Ｐ６）。
【００４７】
次に、無線端末試験装置（テスタ）と移動機１１の間において、先に選択（読出）した試験（テスト）パラメータ、通信手順（シナリオ）を用いて発呼試験、着呼試験、及び各性能試験を実施する。これらの試験で送受信される試験用の信号（情報）は、移動機１１のアンテナ１２と試験用アンテナ１７との間で該当機種（型番）の無線プロトコル（通信手順（シナリオ）を用いて実施される。さらに、各性能試験は先に選択（読出）した試験（テスト）パラメータを用いて実施される（Ｐ７）。
【００４８】
無線端末試験装置（テスタ）は、移動機１１に対する一連の試験が終了すると、試験（テスト）結果を先に取得した製造番号等の移動機情報とともに用紙４６に印字出力する（Ｐ８）。
【００４９】
このように構成された無線端末試験装置においては、主記憶部３２内の、試験手順メモリ４１内に移動機１１の各動作に対する試験の試験手順が記憶され、試験パラメータメモリ４２内に移動機１１の機種（型番）毎に該当機種の試験を実行するための例えば補正値等の試験パラメータが記憶され、さらに、通信手順メモリ４２内に移動機１１の機種（型番）毎に該当機種の例えば詳細な無線プロトコルからなる通信手順（シナリオ）が記憶されている。
【００５０】
そして、電波シールドボックス１０内に、試験対象の移動機１１を収納し、移動機１１のＵＳＢ端子１５に無線端末試験装置側の通信インタフェース２９の制御信号線を接続して、移動機１１の電源を投入すると、ＵＳＢ規格により、この移動機１１の機種、製造番号を含む移動機情報が無線端末試験装置に取得される。そして、この取得された移動機情報の機種に対応する試験パラメータ及び通信手順が選択されて、この試験パラメータ及び通信手順を用いて移動機１１に対する試験が実施される。試験結果は移動機１１の製造番号等の移動機情報とともに用紙４６に印字出力される。
【００５１】
したがって、この無線端末試験装置の操作者は、試験対象の移動機１１の機種（型番）を目視で読取って、操作入力する必要はないので、操作者の作業負担を大幅に軽減でき、試験作業能率を大幅に向上できる。
【００５２】
さらに、試験結果は移動機１１の製造番号等の移動機情報とともに用紙４６に印字出力される。無線端末試験装置の操作者は、移動機１１の製造番号等の識別情報を目視で読取って試験結果の用紙４６に記入する必要がないので、操作者の作業負担をさらに軽減できる。
【００５３】
（第２実施形態）
図６は本発明の第２実施形態に係わる無線端末試験装置の概略構成を示すブロック図である。
【００５４】
電波シールドボックス１０内には、試験対象の携帯電話からなる無線端末（移動機）１１が収納される。この無線端末１１には、アンテナ１２、外部インタフェースとしてのＵＳＢ端子１５が設けられている。
【００５５】
メモリ１００に、各種の無線端末用の試験パラメータ、試験手順及び通信手順を記憶されている。図１における主記憶部３２に相当する。
【００５６】
ＲＦ結合手段１０１は、特性を試験すべき無線端末１１からのＲＦ信号を伝達する。図１にける試験用アンテナ１７、切換スイッチ１８、送信部２０、変調部２４、符号部２３、受信部２１、復調部２６、及び復号部２７が、ＲＦ結合手段１０１に相当する。
【００５７】
試験手段１０２は、ＲＦ結合手段１０１からのＲＦ信号を受け、無線端末１１に対応する試験パラメータ、試験手順及び通信手順に基づいて無線端末１１の特性を試験する。図１におけるレベル設定器２５、レベル検出部２８に相当する。
【００５８】
有線結合手段１０３は、無線端末１１に記憶されている機種情報及び製造番号情報を無線端末１１の外部インタフェース（ＵＳＢ端子１５を介し）から抽出し、読出手段１０４に移動機情報として出力する。図１における通信インタフェース２９（有線ケーブル含む）、ＣＰＵ３０、ＲＯＭ３１に相当する。
【００５９】
読出手段１０４は、有線結合手段１０３からの抽出した情報に対応する試験パラメータ、試験手順及び通信手順をメモリ１００から読み出す。
【００６０】
これらの構成により、先ず無線端末１１の電源を投入すると、有線結合手段１０３は、無線端末１１から出力される機種情報及び製造番号情報を抽出し、読出手段１０４に移動機情報として出力する。読出手段１０４は、移動機情報に対応した試験パラメータ、試験手順、及び通信手順をメモリ１００から読み出し、試験手段１０２に出力する。試験手段１０２は、該当の通信手段に基き無線プロトコルを実行し、該当の試験パラメータ、試験手順に基き試験するように、ＲＦ結合手段１０１、及び有線結合手段１０３を制御する。そして試験手段１０２は、ＲＦ結合手段１０１からのＲＦ信号によって当該無線端末１１の特性を試験することができる。
【００６１】
（第３実施形態）
試験手段１０２で得られた試験結果は、主記憶部３２内の試験結果メモリ４４に記憶され、プリンタ３３で印字される。これに加え、試験結果を、通信インタフェース３５を介してＬＡＮ３７に接続し、制御用コンピュータ３６に送信することもできる。
【００６２】
制御用コンピュータ３６は、機種及び識別情報に対応した試験結果を一元管理することができる。これにより、機種及び識別情報毎の統計処理をし、例えば、あるロットの無線端末の試験結果を、サービス体制に反映させることができる。また、個々の機種、製造番号、試験結果が管理されているので、どの営業所のサービス窓口にある無線端末試験装置で試験しても、過去の履歴を入手し、故障等判断に反映させることができる。
【００６３】
また、新機種が製造されたり、機種の仕様が変更になった場合、試験パラメータ、試験手順、通信手順を、制御用コンピュータ３６からＬＡＮ３７、通信インタフェース３５を介して、主記憶部３２にダウンロードすることができる。
【図面の簡単な説明】
【００６４】
【図１】本発明の第１実施形態に係わる無線端末試験装置の概略構成を示すブロック図
【図２】同無線端末試験装置における主記憶部内に形成された試験手順メモリの記憶内容を示す図
【図３】同無線端末試験装置のプリンタで印字出力された試験結果を示す図
【図４】同無線端末試験装置の動作を示す流れ図
【図５】同無線端末試験装置の動作を示すシーケンス図
【図６】本発明の第２実施形態に係わる無線端末試験装置の概略構成を示すブロック図
【図７】従来の無線端末試験装置の概略構成を示す模式図
【符号の説明】
【００６５】
１０…電波シールドボックス、１１…移動機、１２…アンテナ、１３…表示器、１４，３８…操作パネル、１５…ＵＳＢ端子、１７…試験用アンテナ、１８…切換スイッチ、２０…送信部、２１…受信部、２５…レベル設定部、２８…レベル検出部、２９，３５…通信インタフェース、３０…ＣＰＵ、３２…主記憶部、３３…プリンタ、４１…試験手順メモリ、４２…通信手順メモリ、４３…試験パラメータメモリ、４４…試験結果メモリ、４５…移動機情報メモリ、４６…用紙、４７…機種名、４８…製造番号、４９…電話番号、５０…試験項目、５１…判定結果、５２…綜合判定結果、１００…メモリ、１０１…ＲＦ結合手段、１０２…試験手段、１０３…有線結合手段、１０４…読出手段
【図１】
2005109992.tif 000003
【図２】
2005109992.tif 000004
【図３】
2005109992.tif 000005
【図４】
2005109992.tif 000006
【図５】
2005109992.tif 000007
【図６】
2005109992.tif 000008
【図７】
2005109992.tif 000009